(57)【要約】      （修正有）【課題】装着が快適で装着引き延ばしの影響を受けず、水漏れの恐れがないスイミングゴーグルを提供する。【解決手段】スイミングゴーグルは外側枠体と内側枠体により一体に共同組成し、該外側枠体は前段部の左、右レンズ枠、鼻フレームを含み、内側枠体は後段部の左、右レンズ枠、鼻フレームを含む一体式左、右レンズ枠、鼻フレームと、柔軟特性を備える材質により成型し、後段部の左、右レンズ枠上に組合せ接続する保護クッションと、該外側枠体と該内側枠体の左、右レンズ枠内に収容するレンズと、該外側枠体に組合せ接続するヘッドベルトと、を含む。これにより装着後の快適性を提供し、様々な輪郭の顔型を持つ装着者に適合可能で、水漏れの恐れもない。【選択図】図１
0003144413.tif 000002
【実用新案登録請求の範囲】
【請求項１】
一体式左、右レンズ枠、鼻フレーム、保護クッション、レンズ及びヘッドベルトを含み、
外側枠体と内側枠体により一体に共同組成し、該外側枠体は前段部の左、右レンズ枠、鼻フレームを含み、内側枠体は後段部の左、右レンズ枠、鼻フレームを含む一体式左、右レンズ枠、鼻フレームと、
柔軟特性を備える材質により成型し、後段部の左、右レンズ枠上に組合せ接続する保護クッションと、
該外側枠体と該内側枠体の左、右レンズ枠内に収容するレンズと、
該外側枠体に組合せ接続するヘッドベルトと、
を含むことを特徴とするスイミングゴーグル。
【請求項２】
前記外側枠体と内側枠体は異なる材質、或いは硬度が異なる相同の材質を選択することができることを特徴とする請求項１記載のスイミングゴーグル。
【請求項３】
前記保護クッションは内側枠体と同じ材質を用いることができることを特徴とする請求項２記載のスイミングゴーグル。
【請求項４】
前記外側枠体と内側枠体は、射出成型粘合異なる可塑料特性を備える熱可塑性ゴムを採用し、しかも、該外側枠体と内側枠体は異なる色の配置を採用することを特徴とする請求項３記載のスイミングゴーグル。
【請求項５】
前記前段部の左、右レンズ枠と鼻フレーム、及び後段部の左、右レンズ枠は、ヘッドベルト装着時の引伸ばし力に抵抗することができる材料の硬度を選択することができ、後段部の鼻フレームは前段部の鼻フレームより柔かいが、保護クッションより硬い材料硬度を選択することを特徴とする請求項４記載のスイミングゴーグル。
【請求項６】
前記前段部の左、右レンズ枠及び鼻フレームは、ヘッドベルト装着時の引伸ばし力に抵抗することができる材料硬度を選択することができ、後段部の左、右レンズ枠及び鼻フレームは前段部の左、右レンズ枠及び鼻フレームより柔かい材料硬度を選択するが、保護クッションより硬い材料硬度を選択することを特徴とする請求項４記載のスイミングゴーグル。
【請求項７】
前記前段部の左、右レンズ枠外側縁には組合せ接続部をそれぞれ設置し、その上には穿孔を備えヘッドベルトを通すことを特徴とする請求項５記載のスイミングゴーグル。
【請求項８】
前記レンズはポリカーボネートを採用し、その周縁には包覆唇を設置し、外側枠体と内側枠体の射出時に一体に包覆されることを特徴とする請求項４記載のスイミングゴーグル。
【請求項９】
前記外側枠体と内側枠体は相同材質のシリコンゴム（Silicon Rubber）を採用し、しかも該外側枠体と内側枠体は異なる色の配置を採用することを特徴とする請求項３記載のスイミングゴーグル。
【請求項１０】
前記スイミングゴーグルはさらに前段部の左、右レンズ枠を挟持する硬質挟枠を設置し、該硬質挟枠は前段部の左、右レンズ枠と鼻フレームの交接位置に相対し、リングフックを設置し、該リングフックと硬質挟枠は落差を形成し、前、後段部の左レンズ枠（右レンズ枠）の内側縁を環状に包むことができ、前段部の左レンズ枠（右レンズ枠）の周囲面は、レンズ所在の輪郭に沿って、さらに組合せ接続唇を設置し、前記硬質挟枠は該リングフックに対応し、前、後段部の左レンズ枠（右レンズ枠）の内側縁を環状に包むことができ、該組合せ接続唇に沿って連続封鎖の挟持効果を形成することを特徴とする請求項９記載のスイミングゴーグル。
【請求項１１】
前記硬質挟枠上にはさらに一対の掛け持ちアームを設置し、前、後段部の左レンズ枠（右レンズ枠）は該掛け持ちアームに相対し、それぞれ係合槽を設置することを特徴とする請求項１０記載のスイミングゴーグル。
【請求項１２】
前記前、後段部の左レンズ枠及び右レンズ枠と鼻フレームの交接位置には、該リングフックを収容する嵌槽をそれぞれ設置することを特徴とする請求項１１記載のスイミングゴーグル。
【請求項１３】
前記硬質挟枠の外側にはさらにヘッドベルト装置を組合せ接続することを特徴とする請求項１０記載のスイミングゴーグル。
【請求項１４】
前記レンズはセルロースアセテートを採用することを特徴とする請求項９記載のスイミングゴーグル。
【考案の詳細な説明】
【技術分野】
【０００１】
本考案はスイミングゴーグルに関する。特に左、右レンズ枠と保護クッション、及び鼻フレームは異なる材質或いは異なる硬度の相同の材質を選択し一体に共同組成することができ、装着が快適で、装着引伸ばしの影響を受けず、しかも水漏れの恐れがないスイミングゴーグルに係る。
【背景技術】
【０００２】
スイミングゴーグルはおよそ左、右レンズ枠が独立した分離式と左、右レンズフレームが一体式の２種に区分することができる。独立分離式は連接部品により左、右レンズ枠を一体に接続し、一体式は左、右レンズ枠と連接部品が一体成型である。一体式スイミングゴーグルでは、左、右レンズ枠上にレンズを安定的に収容固定しなければならないため、選択する材料は柔か過ぎてはならない。さもなくば、装着時の引伸ばし力はレンズフレームを変形させ、レンズが安定的に定位されなくなってしまう。よって、選択する材料には一定の硬度の制限がある。このため、公知の一体式スイミングゴーグルの左、右レンズ枠上に成型する保護クッションは柔軟性が不良で、装着後の顔との接触感は快適ではない。
【０００３】
さらに、過度に硬い材質も左、右レンズ枠を接続する連接部品をあまりに硬くし過ぎてしまい、様々な顔の輪郭を持つ消費者の装着に適用することができない。さらには左、右レンズ枠が適切に密着しないための水漏れの恐れがある。
【考案の開示】
【考案が解決しようとする課題】
【０００４】
本考案の目的は、装着がより快適で、水漏れの恐れがないスイミングゴーグル構造を提供することで、該スイミングゴーグルの左、右レンズ枠と連接部品及び保護クッション等は異なる材質或いは異なる硬度の相同の材質を選択し一体に共同組成することができ、スイミングゴーグルの外に向かう片側は比較的硬い材質を採用し、これにより装着時に、ヘッドベルト引伸ばし力は比較的固い材質により吸収され、レンズの収容に影響を及ぼすことはなく、比較的柔軟な材質は保護クッションに最適な柔軟性を提供し、同時に鼻フレームに適当な撓み性を賦与し、こうして装着後の快適性を提供し、様々な輪郭の顔型を持つ装着者に適合可能で、水漏れの恐れもない。
【０００５】
上記課題を解決するため、本考案は下記のスイミングゴーグルを提供する。スイミングゴーグルは一体式左、右レンズ枠、鼻フレーム、保護クッション、レンズ、ヘッドベルトを含み、
該一体式左、右レンズ枠、鼻フレームは外側枠体と内側枠体により一体に共同組成し、該外側枠体は前段部の左、右レンズ枠、鼻フレームを含み、内側枠体は後段部の左、右レンズ枠、鼻フレームを含み、
該保護クッションは柔軟特性を備える材質により成型し、後段部の左、右レンズ枠上に組合せ接続し、
該ヘッドベルトは前段部の左、右レンズ枠上に組合せ接続し、
該レンズは該外側枠体と該内側枠体の左、右レンズ枠内に収容し、
該外側枠体と該内側枠体は異なる材質、或いは硬度の異なる相同の材質を採用することができる。    
【課題を解決するための手段】
【０００６】
請求項１の考案は、一体式左、右レンズ枠、鼻フレーム、保護クッション、レンズ及びヘッドベルトを含み、
外側枠体と内側枠体により一体に共同組成し、該外側枠体は前段部の左、右レンズ枠、鼻フレームを含み、内側枠体は後段部の左、右レンズ枠、鼻フレームを含む一体式左、右レンズ枠、鼻フレームと、
柔軟特性を備える材質により成型し、後段部の左、右レンズ枠上に組合せ接続する保護クッションと、
該外側枠体と該内側枠体の左、右レンズ枠内に収容するレンズと、
該外側枠体に組合せ接続するヘッドベルトと、
を含むことを特徴とするスイミングゴーグルとしている。
請求項２の考案は、前記外側枠体と内側枠体は異なる材質、或いは硬度が異なる相同の材質を選択することができることを特徴とする請求項１記載のスイミングゴーグルとしている。
請求項３の考案は、前記保護クッションは内側枠体と同じ材質を用いることができることを特徴とする請求項２記載のスイミングゴーグルとしている。
請求項４の考案は、前記外側枠体と内側枠体は、射出成型粘合異なる可塑料特性を備える熱可塑性ゴムを採用し、しかも、該外側枠体と内側枠体は異なる色の配置を採用することを特徴とする請求項３記載のスイミングゴーグルとしている。
請求項５の考案は、前記前段部の左、右レンズ枠と鼻フレーム、及び後段部の左、右レンズ枠は、ヘッドベルト装着時の引伸ばし力に抵抗することができる材料の硬度を選択することができ、後段部の鼻フレームは前段部の鼻フレームより柔かいが、保護クッションより硬い材料硬度を選択することを特徴とする請求項４記載のスイミングゴーグルとしている。
請求項６の考案は、前記前段部の左、右レンズ枠及び鼻フレームは、ヘッドベルト装着時の引伸ばし力に抵抗することができる材料硬度を選択することができ、後段部の左、右レンズ枠及び鼻フレームは前段部の左、右レンズ枠及び鼻フレームより柔かい材料硬度を選択するが、保護クッションより硬い材料硬度を選択することを特徴とする請求項４記載のスイミングゴーグルとしている。
請求項７の考案は、前記前段部の左、右レンズ枠外側縁には組合せ接続部をそれぞれ設置し、その上には穿孔を備えヘッドベルトを通すことを特徴とする請求項５記載のスイミングゴーグルとしている。
請求項８の考案は、前記レンズはポリカーボネートを採用し、その周縁には包覆唇を設置し、外側枠体と内側枠体の射出時に一体に包覆されることを特徴とする請求項４記載のスイミングゴーグルとしている。
請求項９の考案は、前記外側枠体と内側枠体は相同材質のシリコンゴム（Silicon Rubber）を採用し、しかも該外側枠体と内側枠体は異なる色の配置を採用することを特徴とする請求項３記載のスイミングゴーグルとしている。
請求項１０の考案は、前記スイミングゴーグルはさらに前段部の左、右レンズ枠を挟持する硬質挟枠を設置し、該硬質挟枠は前段部の左、右レンズ枠と鼻フレームの交接位置に相対し、リングフックを設置し、該リングフックと硬質挟枠は落差を形成し、前、後段部の左レンズ枠（右レンズ枠）の内側縁を環状に包むことができ、前段部の左レンズ枠（右レンズ枠）の周囲面は、レンズ所在の輪郭に沿って、さらに組合せ接続唇を設置し、前記硬質挟枠は該リングフックに対応し、前、後段部の左レンズ枠（右レンズ枠）の内側縁を環状に包むことができ、該組合せ接続唇に沿って連続封鎖の挟持効果を形成することを特徴とする請求項９記載のスイミングゴーグルとしている。
請求項１１の考案は、前記硬質挟枠上にはさらに一対の掛け持ちアームを設置し、前、後段部の左レンズ枠（右レンズ枠）は該掛け持ちアームに相対し、それぞれ係合槽を設置することを特徴とする請求項１０記載のスイミングゴーグルとしている。
請求項１２の考案は、前記前、後段部の左レンズ枠及び右レンズ枠と鼻フレームの交接位置には、該リングフックを収容する嵌槽をそれぞれ設置することを特徴とする請求項１１記載のスイミングゴーグルとしている。
請求項１３の考案は、前記硬質挟枠の外側にはさらにヘッドベルト装置を組合せ接続することを特徴とする請求項１０記載のスイミングゴーグルとしている。
請求項１４の考案は、前記レンズはセルロースアセテートを採用することを特徴とする請求項９記載のスイミングゴーグルとしている。
【考案の効果】
【０００７】
上記のように、本考案は左、右レンズ枠と保護クッション、及び鼻フレームは異なる材質或いは異なる硬度の相同の材質を選択し一体に共同組成することができ、装着が快適で、装着引伸ばしの影響を受けず、しかも水漏れの恐れがない。
【考案を実施するための最良の形態】
【０００８】
図１に示すように、本考案スイミングゴーグル１は一体式左、右レンズ枠、鼻フレーム２、レンズ３、保護クッション６、ヘッドベルト（図示なし）を含む。該一体式左、右レンズ枠、鼻フレーム２は外側枠体２０と内側枠体２１により一体に共同組成する。本実施例では該外側枠体２０と内側枠体２１は、射出成型粘合異なる可塑料特性を備える熱可塑性ゴム（Thermoplastic Rubber, TPR）を採用する。しかも、該外側枠体２０と内側枠体２１は異なる色の配置を採用し、スイミングゴーグル全体も色彩感を際立たせる。
該外側枠体２０は前段部の左、右レンズ枠２０１、２０２、鼻フレーム２０３を含む。しかも前段部の左、右レンズ枠２０１、２０２の外側には組合せ接続部２０４を設置し、該組合せ接続部２０４は前段部の左、右レンズ枠２０１、２０２の外縁に沿って設置する。その上には穿孔２０５を備え、ヘッドベルトを通す。該内側枠体２１は後段部の左、右レンズ枠２１１、２１２、鼻フレーム２１３を含む。また該保護クッション６は内側枠体２１と相同の材質を採用し、並びに内側枠体２１に比べ柔かい材料硬度である。説明に値する点は、実際の実施においては、該前段部の左、右レンズ枠２０１、２０２と鼻フレーム２０３、と後段部の左、右レンズ枠２１１、２１２は、ヘッドベルト装着時の引伸ばし力に抵抗することができる材料硬度を選択することができ、後段部の鼻フレーム２１３は前段部に鼻フレーム２０３より柔かいが、保護クッション６よりは硬い材料硬度である点である。或いは、該後段部の左、右レンズ枠２１１、２１２、鼻フレーム２１３は前段部の左、右レンズ枠２０１、２０２と鼻フレーム２０３より柔かい材料硬度を採用するが、保護クッション６よりは硬い材料硬度を選択する。
【０００９】
該レンズ３はポリカーボネート（Polycarbonate, PC）を採用し、その周縁には包覆唇３０を設置し、外側枠体２０と内側枠体２１の射出時に一体に包覆される。
【００１０】
図２〜図４に示すように、本考案外側枠体２０と内側枠体２１の射出成型後、材質の特性により該レンズ３の包覆唇３０を包覆し一体に粘合する。こうして、ヘッドベルトを穿孔２０５に通し装着使用が可能となる。本考案の前段部の左、右レンズ枠２０１、２０２と鼻フレーム２０３はヘッドベルト装着時の引伸ばし力に抵抗することができる比較的硬い材料硬度を選択し設置する。しかも組合せ接続部２０４において比較的硬い材料硬度により設置する。よって装着時には左、右レンズ枠２０１、２０２に影響を及ぼすことはない。該内側枠体２１の後段部の鼻フレーム２１３は比較的柔かい材料硬度を選択し設置し、柔軟特性を備えさせ、これにより後段部の鼻フレーム２１３は適当な撓み性を備え、顔の輪郭が様々な装着者に適合することができ、しかも水漏れの恐れはない。同時に、保護クッション６は材料の柔軟度により、装着の快適感を提供することができる。
【００１１】
図５は本考案スイミングゴーグルの第二実施例である。本実施例のスイミングゴーグル１’は同様に一体式左、右レンズ枠、鼻フレーム２’、レンズ３’、保護クッション６’を含む。該一体式左、右レンズ枠、鼻フレーム２’は同様に外側枠体２０’と内側枠体２１’により一体に共同組成される。該前段部の左、右レンズ枠２０１’、２０２’、鼻フレーム２０３’を含む。しかも外側縁には組合せ接続部２０４’を設置する。該内側枠体２１’は後段部の左、右レンズ枠２１１’、２１２’、鼻フレーム２１３’を含む。また該保護クッション６’は後段部の左、右レンズ枠２１１’、２１２’と一体設置する。
本実施例と第一実施例の差異は、採用する材質の差異にある。本実施例中の該外側枠体２０’と内側枠体２１’は相同材質のシリコンゴム（Silicon Rubber）を採用する。この材料の特性はより柔軟で、しかも異なる材料とは粘合しにくいため、本実施例中には硬質挟枠４’を増設する。また外側枠体２０’と内側枠体２１’と保護クッション６’の射出成型は、第一実施例と相同である。組み立て時には、外側枠体２０’と内側枠体２１’をそれぞれ射出成型後（図６参照）、次に該硬質挟枠４’を用い該レンズ３’を挟持組合せ固定する（図７参照）。
【００１２】
続いて図８、図９に示すように、該硬質挟枠４’は前段部及び後段部の鼻フレーム２０３’と２１３’及び左、右レンズ枠２０１’、２０２’と２１１’、２１２’の交接位置に対応し、リングフック４０’を設置する。該リングフック４０’と硬質挟枠４’は落差を形成し、前段部及び後段部の左レンズ枠２０１’、２１１’（右レンズ枠２０２’、２１２’）の内側縁を環状に包むことができる。該前段部及び後段部の左レンズ枠２０１’、２１１’及び右レンズ枠２０２’、２１２’と鼻フレーム２０３’及び２１３’の交接位置には、該リングフック４０’を収容する嵌槽４３１’、４３２’をそれぞれ設置する。別に外側枠体２０’の前段部の左レンズ枠２０１’（右レンズ枠２０２’）の周囲面は、レンズ３’所在の輪郭に沿って、組合せ接続唇４１’を設置し、前記硬質挟枠４’は該リングフック４０’に対応し、前段部と後段部の左レンズ枠２０１’、２１１’（右レンズ枠２０２’、２１２’）の内側縁を環状に包むことができ、該組合せ接続唇４１’に沿って連続封鎖の挟持効果を形成し、該レンズ３’を挟持する。また該硬質挟枠４’上には一対の掛け持ちアーム４２’をさらに設置し、前段部と後段部の左レンズ枠２０１’、２１１’（右レンズ枠２０２’、２１２’）は該掛け持ちアーム４２’に相対し、それぞれ係合槽４３３’、４３４’を設置する。これによりさらに堅固に該レンズ３’を嵌設することができる。該硬質挟枠４’の外側にはヘッドベルト装置５’を一体に接続し、ヘッドベルトの組合せ接続と調整に用いることができる。
【００１３】
つまり、本実施例のスイミングゴーグル１’は前段部の左、右レンズ枠２０１’、２０２’及び鼻フレーム２０３’により、ヘッドベルト装着時の引伸ばし力に抵抗することができる比較的硬い材料硬度を選択し設置することができる。しかも、組合せ接続部２０４’は比較的硬い材料硬度により設置するため、装着時には前段部の左、右レンズ枠２０１’、２０２’に影響しない。該内側枠体２１’の後段部の鼻フレーム２１３’は比較的柔かい材料硬度を選択し設置し、柔軟特性を備えるため、該後段部の鼻フレーム２１３’は適当な撓み性を備え、様々な輪郭の顔型の装着者に適合することができ、水漏れの恐れもない。同時に該保護クッション６’は材料の柔軟性により、装着の回転性を提供することができる。
【図面の簡単な説明】
【００１４】
【図１】本考案スイミングゴーグルの第一実施例立体分解図である。
【図２】図１の立体組合せ図である。
【図３】図２の正面図である。
【図４】図３の４−４位置における断面図である。
【図５】本考案スイミングゴーグルの第二実施例立体分解図である。
【図６】第二実施例外側枠体と内側枠体の組み立て過程の立体図である。
【図７】第二実施例外側枠体と内側枠体の組み立て過程の立体図である。
【図８】図５組み立て後の正面図である。
【図９】図８の９−９位置における断面図である。
【符号の説明】
【００１５】
１、１’  スイミングゴーグル
２、２’  一体式左、右レンズ枠、鼻フレーム
３、３’  レンズ
６、６’  保護クッション
２０、２０’  外側枠体
２１、２１’  内側枠体
２０１、２０２、２０１’、２０２’  前段部の左、右レンズ枠
２０３、２０３’  前段部の鼻フレーム
２０４、２０４’  組合せ接続部
２０５  穿孔
２１１、２１２、２１１’、２１２’  後段部の左、右レンズ枠
２１３、２１３’  後段部の鼻フレーム
３０  包覆唇
４、４’    硬質挟枠
４０’  リングフック
４１’  組合せ接続唇
４２’  掛け持ちアーム
４３１’、４３２’  嵌槽
４３３’、４３４’  係合槽
５’  ヘッドベルト装置
【図１】
0003144413.tif 000003
【図２】
0003144413.tif 000004
【図３】
0003144413.tif 000005
【図４】
0003144413.tif 000006
【図５】
0003144413.tif 000007
【図６】
0003144413.tif 000008
【図７】
0003144413.tif 000009
【図８】
0003144413.tif 000010
【図９】
0003144413.tif 000011